(57)【要約】【課題】携帯機器の外装蓋を分離する方法と装置を提供する。【解決手段】本発明は、２つの底面（Ｅ、Ｆ）および４つの側面（Ａ、Ｂ、Ｃ、Ｄ）を持つ略直方体形状の携帯機器の１つの側面（Ａ）から内蔵電池が配置される位置までの領域をせん断して、前記携帯機器のＥ蓋（Ｅ底面側蓋）およびＦ蓋（Ｆ底面側蓋）の接続部を露出させる携帯機器蓋分離装置であって、Ａ側面とＥ底面の角部または角部の近傍またはＡ側面を抑えてせん断時のせん断する部分を位置決めする位置決めストッパ、Ｆ底面の一部を押さえてせん断時のせん断する部分を位置決めするＦ底面抑え部、位置決めストッパおよびＦ底面抑え部を載置する載置台、並びに、載置台の載置面に対して略直角方向に相対的に移動するとともに、携帯機器の１つの底面（Ｅ底面）から他の底面（Ｆ底面）に向かって携帯機器の厚み方向に対して斜め方向に、Ａ側面側の携帯機器をせん断する携帯機器蓋分離装置である。【選択図】図１０
2019018342.tif 000002
【特許請求の範囲】
【請求項１】
２つの底面（Ｅ底面、Ｆ底面）および４つの側面（Ａ側面、Ｂ側面、Ｃ側面、Ｄ側面：Ａ側面とＤ側面は対抗面、Ｂ側面とＣ側面は対抗面）を持つ略直方体形状の携帯機器の１つの側面（Ａ側面）から内蔵電池が配置される位置までの領域において、
前記携帯機器の１つの底面（Ｅ底面）から他の底面（Ｆ底面）に向かって前記携帯機器の厚み方向に対して斜め方向に、Ａ側面側の前記携帯機器の一部または全部をせん断して、前記携帯機器のＥ蓋（Ｅ底面側の蓋）およびＦ蓋（Ｆ底面側の蓋）の接続部の一部または全部を露出させる工程（せん断工程）を含む、携帯機器のＥ蓋およびＦ蓋の接続部の一部または全部を分離する携帯機器の蓋分離方法。
【請求項２】
前記せん断工程時に、Ａ側面とＥ底面との角部または角部の近傍、および／またはＡ側面の一部または全部を押さえて、前記せん断時のせん断する部分を位置決めすることを特徴とする、請求項１に記載の携帯機器の蓋分離方法。
【請求項３】
前記せん断工程時に、Ｆ底面の一部を押さえて、前記せん断時のせん断する部分を位置決めすることを特徴とする、請求項１または２に記載の携帯機器の蓋分離方法。
【請求項４】
前記せん断工程時に、Ｅ底面の一部または全部を押さえることを特徴とする、請求項１〜３のいずれかの項に記載の携帯機器の蓋分離方法。
【請求項５】
前記せん断は、せん断面の幅よりも広い領域を有するせん断刃により、行なうことを特徴とする、請求項１〜４のいずれかの項に記載の携帯機器の蓋分離方法。
【請求項６】
前記せん断工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含むことを特徴とする、請求項１〜５のいずれかの項に記載の携帯機器の蓋分離方法。
【請求項７】
前記せん断工程の後で、Ｂ側面および／またはＣ側面の側の一部または全部を押圧する工程（押圧工程）をさらに含むことを特徴とする、請求項１〜６のいずれかの項に記載の携帯機器の蓋分離方法。
【請求項８】
前記押圧工程において、前記携帯機器を傾斜させてＢ側面および／またはＣ側面の側を押圧することを特徴とする、請求項７に記載の携帯機器の蓋分離方法。
【請求項９】
前記携帯機器を傾斜させる傾斜角度は１５度から７５度の間であることを特徴とする、請求項８に記載の携帯機器の蓋分離方法。
【請求項１０】
前記押圧工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含むことを特徴とする、請求項７〜９のいずれかの項に記載の携帯機器の蓋分離方法。
【請求項１１】
２つの底面（Ｅ底面、Ｆ底面）および４つの側面（Ａ側面、Ｂ側面、Ｃ側面、Ｄ側面：Ａ側面とＤ側面は対抗面、Ｂ側面とＣ側面は対抗面）を持つ略直方体形状の携帯機器の１つの側面（Ａ側面）から内蔵電池が配置される位置までの領域をせん断して、前記携帯機器のＥ蓋（Ｅ底面側の蓋）およびＦ蓋（Ｆ底面側の蓋）の接続部の一部または全部を露出させる携帯機器蓋分離装置であって、
Ａ側面とＥ底面との角部または角部の近傍、またはＡ側面の一部または全部を押さえて前記せん断時のせん断する部分を位置決めする位置決めストッパ、
Ｆ底面の一部を押さえて前記せん断時のせん断する部分を位置決めするＦ底面抑え部、
前記位置決めストッパおよびＦ底面押さえ部を載置する載置台、
並びに、
前記載置台の載置面に対して略直角方向に相対的に移動するとともに、前記携帯機器の１つの底面（Ｅ底面）から他の底面（Ｆ底面）に向かって前記携帯機器の厚み方向に対して斜め方向に、Ａ側面側の前記携帯機器の一部または全部をせん断して、前記携帯機器のＥ蓋およびＦ蓋の接続部の一部または全部を露出させるせん断刃を備える機構（Ｋ機構）を有する、携帯機器蓋分離装置。
【請求項１２】
前記位置決めストッパ、
および／またはＦ底面押さえ部は載置台上で移動可能であり、前記携帯機器のせん断する位置を変化することができることを特徴とする、請求項１１に記載の携帯機器蓋分離装置。
【請求項１３】
前記位置決めストッパは載置台上で移動可能であり、
および／またはＦ底面押さえ部は載置台上で回転可能であり、前記携帯機器のせん断する位置を変化することができることを特徴とする、請求項１１に記載の携帯機器蓋分離装置。
【請求項１４】
さらに、Ｅ底面の一部または全部を押さえる部分（Ｅ底面押さえ部）を有する機構（Ｅ底面押さえ機構）を有することを特徴とする、請求項１１〜１３のいずれかの項に記載の携帯機器蓋分離装置。
【請求項１５】
Ｅ底面押さえ機構は、Ｋ機構に連結し、Ｋ機構とともに上下移動する（前記載置台の載置面に対して略直角方向に相対的に移動する）ことを特徴とする、請求項１４に記載の携帯機器蓋分離装置。
【請求項１６】
Ｅ底面押さえ機構は、Ｅ底面を押さえた後にＥ底面押さえ部に加わる一定以上の力を吸収する機構（押力吸収機構）を有することを特徴とする、請求項１５に記載の携帯機器蓋分離装置。
【請求項１７】
Ｅ底面抑え部はＥ底面と面的に接触し、Ｅ底面の傾斜角度に応じて回転自在であることを特徴とする、請求項１４〜１６のいずれかの項に記載の携帯機器蓋分離装置。
【請求項１８】
前記載置台には、前記携帯機器を切断したときに、前記せん断刃が前記載置台と接触しないように長溝または長穴が存在することを特徴とする、請求項１１〜１７のいずれかの項に記載の携帯機器蓋分離装置。
【請求項１９】
前記Ｋ機構において、油圧ポンプを用いて、前記載置台の載置面に対して略直角方向にせん断刃を相対的に移動することを特徴とする、請求項１１〜１８のいずれかの項に記載の携帯機器蓋分離装置。
【発明の詳細な説明】
【技術分野】
【０００１】
本発明は、携帯機器のリサイクルのおために内蔵電池を取り出すことを目的として、携帯機器の外装蓋を取り外すための携帯機器の蓋分離方法および携帯機器蓋分離装置に関する。
【背景技術】
【０００２】
近年、携帯電話、スマートフォン等の携帯機器の普及により、それらの廃棄物の処理が問題となっている。携帯機器には電子部品が多数使用されており（携帯用電子機器とも言う）、それらの電子部品には金、銀、銅等の貴金属、白金、パラジウム、ニッケル、インジウム、コバルト等のレアメタルが多く含まれており、これらの廃棄物は都市鉱山とも呼ばれ、都市鉱山からの貴金属やレアメタル（レアメタルも貴重な金属であるから、以下まとめて貴金属類と呼ぶ）の回収が行なわれている。現在行なわれている携帯機器に含まれる貴金属の回収は、携帯機器廃棄物を粉砕し粉末状にして金属類を選別した後、溶解または溶融して金属イオンや金属として回収する。（特許文献１、２）
【先行技術文献】
【特許文献】
【０００３】
【特許文献１】特開２００１−６４７３５
【特許文献１】特開２０１６−２４８７７６
【発明の概要】
【発明が解決しようとする課題】
【０００４】
貴金属類の回収率を高めるには、回収費用を低減する必要がある。携帯機器の中には電池を内蔵しているものが多い。電池にはリチウム、コバルト、ニッケル、マンガン等の貴金属類以外に有機系電解質も含まれており、粉砕機械で粉砕するとその電解質により粉砕機械が腐食する可能性がある。また、電池の外装は強固であり、粉砕が難しく、粉砕機械を損傷させるという問題がある。すなわち、電池を入れた状態で携帯機器を粉砕することは、粉砕機械の劣化を速め、その寿命をかなり短くしてしまうという問題がある。
【０００５】
そこで、携帯機器廃棄物を粉砕機械で粉砕する前に電池を取り出すことが必要となる。図１は、携帯機器の一種であるスマートフォンの構造の一例を示す図である。図１（ａ）はスマートフォンの表側の外観を示す図であり、表側カバー１１１に表示画面１１２が装着されている。（表示画面のある方を表側と呼んでいるが、表裏に特別意味がある分けではない。）図１（ｂ）はスマートフォンの裏側の外観を示す図であり、裏側カバー１１３が装着されている。図１（ｃ）は裏側カバー１１３を取り外した状態の内部構造を示す図である。スマートフォンは通常一方が他方に比べて細長い形状である。長手方向の一方（下側とする）の側面（すなわち、短辺下側側面）に、電源供給端子１２０および外部機器との接続コード端子１２１が配置されている。下方には下部回路基板モジュール（たとえば、スピーカアセンブリ）１２２、下方から中央部の広い部分に電池（バッテリ）１２３、上方にマザーボード１２４が配置されている。マザーボード１２４にはコントロールＩＣモジュール１２５やカメラモジュール１２６が搭載されている。図１（ｄ）は横（長手方向）側面図である。表側カバー１１１と裏側カバー１１３との接続部１２７で組み合わさっている。ただし、機種によっては、表側カバー１１１が平坦で裏側カバー１１３に接着されているものもある。
【０００６】
電池を取り出すには裏側カバー１１３を取り外す必要があるが、近年流通しているスマートフォンでは表側カバー１１２と裏側カバー１１３は強固に組み合わさっており、簡単に裏側カバー１１３を取り外せない構造となっている。たとえば、固定用のネジなどはなく、接着剤等で強固に固定されていたり、固定用のネジがあっても小さすぎて簡単にはネジを外せない構造となっている。そのため、無理矢理カバーを壊すとか、壊れないカバーを持つスマートフォンやカバーを外せないスマートフォンは回収を諦めるという場合もある。あるいは、カバーを壊したときに電池を損傷して、電池からの液漏れが発生する場合もある。このように、携帯機器に内蔵する電池を取り出すためには、大変な労力と費用がかかっており、携帯機器のリサイクル費用を増大させる要因となり、リサイクルが進まない理由となっている。
【課題を解決するための手段】
【０００７】
本発明は、内蔵電池を損傷させずに誰でも簡単にカバー（蓋とも言う）を取り外す方法およびその装置を提供するものであり、以下の特徴を有する。
（１）本発明は、２つの底面（Ｅ底面、Ｆ底面）および４つの側面（Ａ側面、Ｂ側面、Ｃ側面、Ｄ側面）を持つ略直方体形状の携帯機器の１つの側面（Ａ側面）の近傍領域（または、Ａ側面から内蔵電池が配置される位置までの領域）において、前記携帯機器の１つの底面（Ｅ底面）から他の底面（Ｆ底面）に向かって前記携帯機器の厚み方向にＡ側面に略平行に前記携帯機器の一部または全部をせん断する工程（せん断工程）を含む、前記携帯機器のＥ蓋（Ｅ底面側の蓋）またはＦ蓋（Ｆ底面側の蓋）の接続部の一部または全部を分離する携帯機器の蓋分離方法であり、前記せん断工程前に、Ａ側面を押さえて前記携帯機器のＡ側面と略直交する方向の位置決めを行なう工程をさらに含むことを特徴とする。
【０００８】
（２）本発明は、（１）に加えて、前記せん断工程前に、Ａ側面と略直交する２側面（Ｂ側面およびＣ側面）の１つまたは両方を押さえて、Ｂ側面およびＣ側面と略直交する方向の位置決めを行なう工程を含み、また、Ａ側面は前記携帯機器の短辺側側面であることを特徴とする。さらに、Ａ側面に略平行にせん断されたせん断面（Ｈ面）は、Ａ側面より３ｍｍ〜１０ｍｍ離れているＥ底面の所からせん断した面であり、せん断は、Ｈ面の幅よりも広い領域を有するせん断刃により、行ない、前記せん断工程において、前記せん断刃を前記携帯機器のＥ底面に一旦当接して停止させた後に、前記携帯機器せん断することを特徴とする。
【０００９】
（３）本発明は、（１）および（２）に加えて、前記せん断工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含み、また前記せん断工程の後で、Ｂ側面および／またはＣ側面の側の一部または全部を押圧する工程（押圧工程）をさらに含み、前記押圧工程において、前記携帯機器を傾斜させてＢ側面および／またはＣ側面の側を押圧することを特徴とし、前記携帯機器を傾斜させる傾斜角度は１５度から７５度の間である。また、前記押圧工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含むことを特徴とする。
【００１０】
（４）本発明は、２つの底面（Ｅ底面、Ｆ底面）および４つの側面（Ａ側面、Ｂ側面、Ｃ側面、Ｄ側面）を持つ略直方体形状の携帯機器の１つの底面（Ｆ底面）を載置する載置台、
前記載置台において、前記携帯機器の１側面（Ａ側面）を押さえて前記携帯機器のＡ側面と略直交する方向の位置決めを行なう機構、および前記載置台の載置面に対して略直角方向に相対的に移動するとともに、Ａ側面に略平行に前記携帯機器の１つの底面（Ｅ底面）から他の底面（Ｆ底面）に向かって前記携帯機器の厚み方向にＡ側面に略平行に前記携帯機器の一部または全部をせん断するせん断刃を備える機構（Ｋ機構）を有する、携帯機器蓋分離装置であり、また、前記載置台において、Ａ側面と略直交する２側面（Ｂ側面およびＣ側面）の１つまたは両方を押さえて、Ｂ側面およびＣ側面と略直交する方向の位置決めを行なう機構を有し、さらに、前記載置台には、前記携帯機器を切断したときに、前記せん断刃が前記載置台と接触しないように長溝または長穴が存在することを特徴とする。
【００１１】
（５）本発明は、（４）に加えて、前記せん断刃の刃先は、前記せん断刃の幅方向と直角方向において、前記載置台に載置された携帯機器のＡ側面と対向する側面（Ｄ側面）側からＡ側面側に向かって細くなっており、また、Ｂ側面および／またはＣ側面において、Ｅ蓋（Ｅ底面側の蓋）とＦ蓋（Ｆ底面側の蓋）の接続部分の一部が分離した状態で、当該分離部分に挿入してＥ蓋とＦ蓋との分離部分をさらに広げる機構（Ｎ機構）を備えており、さらに、Ｎ機構は、載置台に載置した携帯機器のＢ側面および／またはＣ側面の外側に取り付けられた先端が細くなった刃（開き刃）であり、前記開き刃の先端部の細い刃を前記Ｅ蓋とＦ蓋との分離部分に挿入可能であり、前記開き刃は、前後左右および上下方向に移動自在に取り付けられていることを特徴とする。
【００１２】
（６）本発明は、（４）および（５）に加えて、前記Ｋ機構において、油圧ポンプを用いて、前記載置台の載置面に対して略直角方向にせん断刃を相対的に移動することを特徴とし、さらに、Ｂ側面およびＣ側面を押さえる機構（Ｐ機構）並びに、Ｂ側面および／またはＣ側面側から前記携帯機器を押圧する機構（Ｑ機構）を有し、Ｑ機構は、Ａ側面またはＨ面を傾斜させた状態でＢ側面および／またはＣ側面側から前記携帯機器を押圧する機構であることを特徴とし、Ｂ側面を押さえるＰ機構（Ｐ１機構）は前記せん断刃を固定するとともにせん断刃と一緒に移動するせん断刃固定台に取り付けた機構であり、Ｃ側面を押さえるＰ機構（Ｐ２機構）は載置台に取り付けた機構であり、前記せん断刃固定台に取り付けた押さえ機構（Ｐ１機構）と載置台に取り付けた前記押さえ機構（Ｐ２機構）との位置関係を調節することによって、前記Ｈ面の傾斜角度を調節可能であり、さらに、Ｑ機構は、Ｐ機構により押さえられた携帯機器を、前記せん断刃が固定されたせん断刃固定台を載置台に対して近づけて押圧する機構であり、またＱ機構は、油圧ポンプを用いて前記せん断刃固定台および／または載置台を移動させることを特徴とする。
【００１３】
（７）本発明は、２つの底面（Ｅ底面、Ｆ底面）および４つの側面（Ａ側面、Ｂ側面、Ｃ側面、Ｄ側面）を持つ略直方体形状の携帯機器の対向する２つの側面（Ｂ側面およびＣ側面）を押さえる機構（Ｐ機構）並びに、Ｂ側面および／またはＣ側面側から前記携帯機器を押圧し、１つの底面（Ｅ底面）側の蓋（Ｅ蓋）および他の底面（Ｆ底面）側の蓋（Ｆ蓋）の接続部の一部または全部を分離する機構（Ｑ機構）を有することを特徴とする、帯機器蓋分離装置であり、Ｑ機構は、Ｂ側面およびＣ側面と略直交する側面（Ｄ側面）を傾斜させた状態でＢ側面および／またはＣ側面側から前記携帯機器を押圧する機構であることを特徴とする。
【００１４】
（８）本発明は、（７）に加えて、Ｂ側面を押さえるＰ機構（Ｐ１機構）とＣ側面を押さえるＰ機構（Ｐ２機構）との位置関係を調節することによって、前記Ｄ側面の傾斜角度を調節可能であり、Ｐ１機構はＢ側面を押さえるストッパを持つ板状の台（Ｒ台）であり、Ｐ２機構はＣ側面を押さえるストッパを持つ台（Ｓ台）であり、Ｑ機構は、Ｒ台とＳ台とが直交して移動する機構を用いて、Ｒ台に備わるストッパをＳ台に備わるストッパに近づけることによって押圧する機構であり、また、Ｑ機構は、油圧ポンプを用いてＲ台および／またはＳ台を移動させることを特徴とする。
【００１５】
（９）本発明は、２つの底面（Ｅ底面、Ｆ底面）および４つの側面（Ａ側面、Ｂ側面、Ｃ側面、Ｄ側面：Ａ側面とＤ側面は対抗面、Ｂ側面とＣ側面は対抗面）を持つ略直方体形状の携帯機器の１つの側面（Ａ側面）から内蔵電池が配置される位置までの領域において、
前記携帯機器の１つの底面（Ｅ底面）から他の底面（Ｆ底面）に向かって前記携帯機器の厚み方向に対して斜め方向に、Ａ側面側の前記携帯機器の一部または全部をせん断して、前記携帯機器のＥ蓋（Ｅ底面側の蓋）およびＦ蓋（Ｆ底面側の蓋）の接続部の一部または全部を露出させる工程（せん断工程）を含む、携帯機器のＥ蓋およびＦ蓋の接続部の一部または全部を分離する携帯機器の蓋分離方法であり、前記せん断工程時に、Ａ側面とＥ底面との角部または角部の近傍、および／またはＡ側面の一部または全部を押さえて、前記せん断時のせん断する部分を位置決めし、また、前記せん断工程時に、Ｆ底面の一部を押さえて、前記せん断時のせん断する部分を位置決めし、さらに、前記せん断工程時に、Ｅ底面の一部または全部を押さえることを特徴とする。
【００１６】
（１０）本発明は、（９）に加えて、前記せん断は、せん断面の幅よりも広い領域を有するせん断刃により、行ない、前記せん断工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含むことを特徴とする。また、本発明は、前記せん断工程の後で、Ｂ側面および／またはＣ側面の側の一部または全部を押圧する工程（押圧工程）をさらに含み、前記押圧工程において、前記携帯機器を傾斜させてＢ側面および／またはＣ側面の側を押圧することを特徴とする。さらに、前記携帯機器を傾斜させる傾斜角度は１５度から７５度の間であり、前記押圧工程の後で、前記携帯機器のＥ蓋とＦ蓋との分離部分に先端部が細い冶具（開き刃）を挿入して、前記分離部分をさらに広げて、前記携帯機器のＥ蓋およびＦ蓋を分離する工程をさらに含むことを特徴とする。
【００１７】
（１１）本発明は、２つの底面（Ｅ底面、Ｆ底面）および４つの側面（Ａ側面、Ｂ側面、Ｃ側面、Ｄ側面：Ａ側面とＤ側面は対抗面、Ｂ側面とＣ側面は対抗面）を持つ略直方体形状の携帯機器の１つの側面（Ａ側面）から内蔵電池が配置される位置までの領域をせん断して、前記携帯機器のＥ蓋（Ｅ底面側の蓋）およびＦ蓋（Ｆ底面側の蓋）の接続部の一部または全部を露出させる携帯機器蓋分離装置であって、Ａ側面とＥ底面との角部または角部の近傍、またはＡ側面の一部または全部を押さえて前記せん断時のせん断する部分を位置決めする位置決めストッパ、Ｆ底面の一部を押さえて前記せん断時のせん断する部分を位置決めするＦ底面抑え部、前記位置決めストッパおよびＦ底面押さえ部を載置する載置台、並びに、前記載置台の載置面に対して略直角方向に相対的に移動するとともに、前記携帯機器の１つの底面（Ｅ底面）から他の底面（Ｆ底面）に向かって前記携帯機器の厚み方向に対して斜め方向に、Ａ側面側の前記携帯機器の一部または全部をせん断して、前記携帯機器のＥ蓋およびＦ蓋の接続部の一部または全部を露出させるせん断刃を備える機構（Ｋ機構）を有する携帯機器蓋分離装置である。
【００１８】
（１２）本発明は、（１１）に加えて、前記位置決めストッパおよび／またはＦ底面押さえ部は載置台上で移動可能であり、前記携帯機器のせん断する位置を変化することができ、あるいは、前記位置決めストッパは載置台上で移動可能であり、および／またはＦ底面押さえ部は載置台上で回転可能であり、前記携帯機器のせん断する位置を変化することができることを特徴とする。さらに、本発明は、Ｅ底面の一部または全部を押さえる部分（Ｅ底面押さえ部）を有する機構（Ｅ底面押さえ機構）を有し、Ｅ底面押さえ機構は、Ｋ機構に連結し、Ｋ機構とともに上下移動し（前記載置台の載置面に対して略直角方向に相対的に移動する）、また、Ｅ底面押さえ機構はＥ底面を押さえた後にＥ底面押さえ部に加わる一定以上の力を吸収する機構（押力吸収機構）を有し、さらに、Ｅ底面抑え部はＥ底面と面的に接触し、Ｅ底面の傾斜角度に応じて回転自在であることを特徴とする。
（１３）本発明は、（１１）または（１２）に加えて、前記載置台には、前記携帯機器を切断したときに、前記せん断刃が前記載置台と接触しないように長溝または長穴が存在し、また前記Ｋ機構において、油圧ポンプを用いて、前記載置台の載置面に対して略直角方向にせん断刃を相対的に移動することを特徴とする。
【発明の効果】
【００１９】
本発明は、スマートフォン等の携帯機器の廃棄品をリサイクルしやすくするために、携帯機器の上蓋および下蓋を分離する方法およびその装置を提供する。本発明を用いれば、携帯機器の上蓋および下蓋を容易に分離することができ、携帯機器に内蔵する電池を簡単に取り出すことができる。携帯機器から内蔵電池を取り外せば、残りの廃棄品のリサイクルも容易になるので、携帯機器に含まれる貴金属類のリサイクルも促進でき、貴金属類の回収率を高めることができる。本発明の装置は簡単な構造であり、装置サイズも小さく小型の装置であるから、運搬も容易であり装置費用も安価である。本発明の装置を用いた携帯機器の蓋分離方法は工程も少なく、簡便な操作方法であるから、携帯機器の蓋分離コストも小さい。手動用油圧ポンプを用いれば電気が不要であり、いつでもどこでも本発明を使用できる。
【図面の簡単な説明】
【００２０】
【図１】図１は、携帯機器の一種であるスマートフォンの構造の一例を示す図である。
【図２】図２は、本発明の実施形態の一例で、スマートフォン等のせん断機を示す図である。
【図３】図３は、載置台に略直方体形状のスマートフォン等を設置する状態を示す図である。
【図４】図４は、スマートフォン等の側面Ｓ１の近傍をせん断する直前の状態を示す図である。
【図５】図５は、図４の状態における横方向側面Ｓ３に平行な面の断面図を示す図である。
【図６】図６は、スマートフォン等をせん断刃でせん断した状態を示す図である。
【図７】図７は、スマートフォン等のふた分離用開き刃を有するせん断機を示す図である。
【図８】図８は、スマートフォン等の圧縮式上側ふたと下側ふたの分離装置を示す図である。
【図９】図９は、傾斜して設置したスマートフォン等を押圧する状態を示す図である。
【図１０】図１０は、本発明の別の実施形態を示す図である。
【図１１】図１１は、本発明の携帯機器蓋分離装置の斜視図を示す図である。
【図１２】図１２は、裏面（Ｆ面）支持機構を示す斜視図である。
【図１３】図１３は、別の裏面（Ｆ面）支持機構を示す図である。
【発明を実施するための形態】
【００２１】
本発明は、略直方体形状または板状の携帯機器の廃棄物品に使用される貴金属類等を回収するために、携帯機器に内蔵する電池を簡便に取り出す方法および装置に関する。ここで、携帯機器には、携帯電話、スマートフォン、ＰＤＡ、携帯可能な（ポータブル）コンピュータ、携帯用レコーダ、タブレットＰＣ、タブレット、ラップトップ、ノートパソコン、ハンドヘルドなど多数の電子機器が含まれる。さらに、本発明に適用できる携帯機器としては、略直方体形状であり、電池を内蔵する機器や他の携帯情報端末が含まれる。さらに、リサイクルのために機器の内部に組み込まれた部品を取り出したい機器が存在するものでも適用できる。（本明細書ではこれらを、スマートフォン等と称することもある。）
【００２２】
図２は、本発明の実施形態の一例で、スマートフォン等の側面せん断機（以下、せん断機と称するが、携帯機器（スマートフォン等）の蓋を分離することを目的とするので、携帯機器（スマートフォン等）蓋分離装置とも言う。）を示す図である。図２（ａ）は平面図、図２（ｂ）は側面図、図２（ｃ）は正面図であるが、一部を透視して描いている。本発明のせん断機１は、基台１２上に油圧ポンプ１０が固定して取り付けられ、油圧ポンプ１０に取り付けられた昇降用ラム１１が、油圧ジャッキレバー２１を操作することにより、基台１２および油圧ポンプ１０に対して昇降する。昇降用ラム１１にスマートフォン等載置台１６が固定されており、昇降用ラム１１の上下移動に連動して載置台１６も上下移動する。
【００２３】
基台１２には支柱１４が固定して取り付けられており、この支柱１４にスマートフォン等をせん断するせん断刃１７が取り付けられたせん断刃固定台１８が固定されて取り付けられている。たとえば、固定ネジ１９で固定されている。載置台１６の下方にシリンダー１３が固定されて取り付けられており、シリンダー１３の内側に支柱１４が通りぬけている。載置台１６が上下に移動するとシリンダー１３も上下に移動するが、支柱１４は動かないので、支柱１４に固定されたせん断刃固定台１８およびせん断刃１７も動かないようになっている。載置台１６は支柱に対して略直角に配置されているので、せん断刃１７も載置台１６に対して略直角に配置されている。
【００２４】
油圧ポンプ１０は手動式であり、油圧ジャッキレバーハンドル２１を手動で矢印方向（水平方向）に繰り返し動かすことにより昇降用ラム１１を上昇させることができ、載置台１６を上昇させることができる。せん断刃１７はせん断刃固定台１８よりも（外側）下方に飛び出して取り付けているので、載置台１６が上昇するに従い、せん断刃１７が載置台１６に接近し。さらにせん断刃１７が載置台１６と接触するが、載置台１６の接触部分にせん断刃１７より少し大きめの溝または穴（載置台の上面から下面に貫通する穴）を形成しておけば、せん断刃１７が載置台１６のレベルに達しても、せん断刃１７が載置台１６と接触することはないので、せん断刃１７および載置台１６は損傷することはない。載置台１６とせん断刃固定台１８の間の支柱の周囲には復元バネ１５が巻かれていて、せん断刃固定台１８と載置台１６は一定レベル以下には接近しないようになっている。すなわち、載置台１６は一定レベル以上には上昇せず、復元バネ１５が一種のストッパとなっている。尚、上昇のストッパは別に設けることもできるし（たとえば、支柱１４にストッパを取り付ける）、あるいは油圧ポンプ１０の油圧レベルに制限を設けたり、昇降用ラム１１の長さ制限でストッパともなる。上昇した昇降用ラム１１は、圧力調整バルブ２７により油圧を開放すれば、下降することができ、これに伴い載置台１６も下降することができる。支柱１４に巻き付いた復元バネ１５も圧縮されているので、載置台１６の下降に寄与する。
【００２５】
下降した載置台１６とせん断刃１７の先端との間はスマートフォン等の厚み（表側カバー面と裏側カバー面との間の距離に相当する）以上の隙間が空いていて、載置台の上に、スマートフォン等の表側カバー面または裏側カバー面を上（せん断刃側）にして（このとき、上側になった面を上方面と言う）、またスマートフォン等の反体面を下（載置台上面（載置面）側）にして、スマートフォン等を略水平に載置する。せん断刃１７の刃先がスマートフォン等の１つの側面（（前方）側面Ｓ１と言う）に略平行になるように、スマートフォン等３１が配置される。側面Ｓ１とせん断刃１７の刃先との距離（せん断刃１７の刃先がスマートフォン等の上方面に接触したときの側面Ｓ１とせん断刃１７の刃先との距離を言い、Ｌとする）は一定になるように載置台１６にストッパ（前方（側面）ストッパと言う）２６を配置しておけば、その前方ストッパ２６に前方側面Ｓ１を合わせれば前方側面Ｓ１とせん断刃１７の刃先との距離は一定値Ｌとなる。また、載置台１６の上昇時およびスマートフォン等３１のせん断時に載置台１６に載せたスマートフォン等３１が動かないように、スマートフォン等前方側面Ｓ１と略直交する側面（横方向側面Ｓ３、Ｓ４とする）側にもストッパ２５（横方向ストッパ）を配置しておく。（横方向ストッパ２５は２つである。）横方向ストッパ２５はせん断刃１７でせん断しないように長さを調整するか、押さえ位置をせん断刃１７の所に接触しないように調整する。また、横方向ストッパの厚みはスマートフォン等３１の厚みの半分程度あれば良い。スマートフォン等３１の側面に、表側カバーと下側カバーとの接続部分（たとえば、図１に破線１２７で示す）がある場合は、横方向ストッパの厚みはその接続部分までの厚み以下が良く、スマートフォン等３１をせん断したときに、表側カバーと下側カバーとの接続部分で表側カバーおよび下側カバーが上手く分離できる。
【００２６】
せん断刃１７の刃先と載置台１６の上面の隙間がスマートフォン等３１の厚みよりも大きく空いた状態で、スマートフォン等３１を載置台に載せて、スマートフォン等３１の４側面のうちの１側面であって、せん断刃１７でせん断する方の１側面（前方側面）Ｓ１を前方ストッパ２６に合わせて前方向（前方側面Ｓ１側を前方向とする）から押さえ、また側面Ｓ１と直交する２側面（横方向側面Ｓ３、Ｓ４とする）を横方向ストッパ２５で横方向から押さえる。このようにしてスマートフォン等３１の（前方向および後方向の）位置決めを行なってスマートフォン等３１を載置台で動かないようにして位置を固定した後に、油圧ジャッキレバーハンドル２１を操作して、載置台１６を上昇させてせん断刃１７の刃先をスマートフォン等３１の上方面（載置台１６上に載置したスマートフォン等３１の上方を向いた面で、表側面か下側面のどちらかの面である）にあてる。ここで、いったん載置台１６の上昇を停止させて、せん断刃１７の刃先がスマートフォン等３１の上面に当接させて、せん断刃１７の刃先が確実にスマートフォン等３１の上面に食い込むことを確認する。こうすることで、スマートフォン等３１をせん断するときに、スマートフォン等３１のせん断面が移動しないようにすることができる。またスマートフォン等３１の側面Ｓ３およびＳ４において、表側カバーと下側カバーとの接続部分が分離しやすくなる。尚、せん断面（Ｈ面とも言う）は前方側面Ｓ１と略平行な面となる。ここで、単に「平行」と記載した場合に「完全に平行」であると判断する人がいるので、「完全に平行」も含むが「平行に近い場合」も含むということで「略平行」という語句を用いている。しかし、本明細書では単に「平行」と記載しても「略平行」であることも含むものとする。「略」の使い方は以下同様である。
【００２７】
次に、油圧ジャッキレバーハンドル２１を操作して、さらに載置台１６を上昇させてスマートフォン等３１の側面Ｓ１側の近傍（近く）をせん断する。すなわち、スマートフォン等３１の１つの底面（上方面、これを表面としても良いが、ここでは表示画面が存在する方の面でない場合もある。）から、他の１つの底面（下方面、これを裏面としても良いが、ここでは表示画面が存在しない方の面でない場合もある。）に向かって、スマートフォン等３１の厚み（スマートフォン等３１の１つの底面と他の１つの底面の距離）方向にＳ１側面に略平行にスマートフォン等３１の一部または全部をせん断する。載置台１６に溝または穴（これを（せん断刃）逃がし溝（穴）または（せん断）落ち溝（穴）とも呼ぶ）を形成しておけば、スマートフォン等３１を完全にせん断しても、せん断刃１７の刃先は逃がし溝等に入るので、せん断刃１７の刃先が載置台１６に接触することはない。この逃がし溝等は、せん断刃１７の幅（横方向長さ）よりも長い長溝または長穴であり、長溝の幅はせん断刃１７の厚みよりも大きい。スマートフォン等３１を完全にせん断する前に表側カバーと下側カバーとの接続部分が一部または全部が分離して、その分離して開いた隙間からドライバ等の刃を入れることができるようになれば、その段階で載置台１６の上昇を停止してスマートフォン等３１のせん断をやめても良い。手動で油圧ポンプ１０を操作して載置台を移動する場合は、任意の位置で停止させることが可能である。載置台１６に溝や穴が形成されている場合、削りカス等が溝や穴に入り、スマートフォン等３１の下方面と載置台１６の間に入るのを防止することができ、せん断がスムーズに行なわれるという効果もある。スマートフォン等３１をせん断するだけで上側ふたと下側ふたの接続部分の一部または全部が分離して、内蔵電池を取り出すことができる場合もある。
【００２８】
せん断刃１７の刃先は、図２（ｂ）に示すように、スマートフォン等３１の後方側（Ｓ２側）から前方側（Ｓ１側）へ細くなるように形成すれば、スマートフォン等３１がせん断しながら、せん断されたスマートフォン等３１の後方部分（Ｓ２側部分）が後方へ少しずつ移動していくので、スムーズなせん断が可能となる、従って、スマートフォン等３１の後方側の側面Ｓ２（Ｓ１の対向面、（後方）側面Ｓ２とする）にストッパは配置しないことが望ましい。後方側面Ｓ２を押さえるストッパを配置するとしても少し移動できるような押さえ方をするのが良い。尚、せん断時にスマートフォン等３１の後方側が浮いて来る場合には、側面Ｓ２側のスマートフォン等３１の上方面を上から押さえても良い。たとえば、側面Ｓ２側のスマートフォン等３１の上方面を上から押さえるストッパを配置することもできる。
【００２９】
２つの底面（底面Ｓ５、底面Ｓ６）および４つの側面（側面Ｓ１、側面Ｓ２、側面Ｓ３、側面Ｓ４）を持つ略直方体形状のスマートフォン等（携帯機器）３１において、側面Ｓ１とせん断部分までの距離（側面Ｓ１と側面Ｓ１に略平行にせん断されたせん断面（Ｈ面）までの距離）Ｌは、側面Ｓ１と内蔵する電池までの距離より短い必要がある。すなわち、Ｌは側面Ｓ１から内蔵電池が配置される位置までの間の領域に存在する。電池の外装は強固であるからせん断刃１７が電池をせん断するとせん断刃１７が損傷する可能性がある。また、電池が損傷すると電池から電解質等の液漏れがする可能性もある。さらに、電池にダメッジが加わると電池が発熱したり爆発する恐れもある。図１から分かるように、内蔵電池はスマートフォン等３１の４つの側面を形成する表側カバー（蓋）および裏側カバー（蓋）に被われているので、内蔵電池はスマートフォン等３１の４つの側面から５ｍｍ〜６ｍｍ以上離れている。特に、短辺側の側面に電源供給端子１２０および外部機器との接続コード端子１２１が配置されている側（Ｓ１またはＳ２）は、電池までの距離が比較的大きい。また、短辺側の側面にカメラモジュール１２６が配置されている側（Ｓ１またはＳ２）も、電池までの距離が比較的大きい。短辺側において、これらが配置されている側面を前方側面Ｓ１とし、Ｌを５ｍｍ〜６ｍｍ以下に設定するのが良い。尚、外観でこれらの位置が分からない場合でもＬを５ｍｍ〜６ｍｍ以下に設定しておけば、内蔵電池にせん断刃１７が接触することはない。尚、短辺側側面の場合は、１０ｍｍ以下であれば、切断しても切断刃が内蔵電池に接触することはないと考えられる。また、下限はＬが１ｍｍでも設定可能であるが。余裕を見て３ｍｍは取った方が良い。すなわち、ＬはＳ１側面より３ｍｍ〜１０ｍｍの間で設定できる。カタログや型番等で電池の位置が予め分かる場合は、上記値よりも大きくＬを設定しても良い。
【００３０】
スマートフォン等３１の１側面（Ｓ１）付近（近傍）の部分において、スマートフォン等３１の上方面から下方面までの部分の１部または全部をせん断したときに、側面Ｓ３および／または側面Ｓ４において表側カバーと裏側カバーとが充分に分離せず、ドライバの刃等を入れて表側カバーおよび／または裏側カバーを取り外せない場合は、スマートフォン等３１の１側面（Ｓ１）付近の部分を完全にせん断して、側面Ｓ１付近のせん断面（Ｈ面）を露出した状態で、スマートフォン等３１を載置台１６から取り外す。横方向ストッパ２５をゆるめれば、せん断されたスマートフォン等３１を載置台１６から取り外すことはできるが、せん断刃１７等にスマートフォン等３１の一部が食い込んでいる場合は、油圧調整レバー２２を調整して、載置台１６を下降させれば、せん断刃１７がスマートフォン等３１から離れて、せん断したスマートフォン等３１を載置台１６から取り外すことができる。
【００３１】
せん断刃固定台１８にストッパ（携帯電話斜め置き用上部ストッパ）２７が取り付けられており、この部分と載置台１６に取り付けたストッパ（携帯電話斜め置き用下部ストッパ）２５（携帯電話水平置きストッパと兼用できるので同じ符号をつけたが、載置台に別に配置しても良い）に、スマートフォン等３１のせん断面（側面Ｓ１と略平行な面となっている）と直交する側面Ｓ３およびＳ４を当てる。すなわち、スマートフォン等３１を傾け、後方側面Ｓ２およびせん断面Ｈが傾斜するように、いわゆる斜め置き状態にする。斜め置き状態にするために、油圧調整バルブ２２および／または油圧ジャッキレバーハンドル２１を調整して、載置台１６と携帯電話斜め置き用上部ストッパ２７の位置関係を調節する。
【００３２】
携帯電話斜め置き用上部ストッパ２７と携帯電話斜め置き用下部ストッパ２５によって挟まれて斜め置きにされたスマートフォン等３１のせん断面は当然傾いている。次に、油圧ジャッキレバーハンドル２１を操作して、載置台を上昇させると、斜め置きにされたスマートフォン等３１において、Ｓ１側面および／またはＣ側面の側の一部または全部が押圧（または圧縮）される。すなわち、携帯電話斜め置き用上部ストッパ２７から下方向への力、および／または携帯電話斜め置き用下部ストッパから水平方向（載置台の前方方向）の力を受けて、せん断面Ｈにおいてスマートフォン等３１の上側カバーと下側カバーは一部または全部が分離し、またはそれらの間に隙間が生じる。また、側面Ｓ２、Ｓ３、Ｓ４においても、上側カバーと下側カバーの結合力は弱くなる。その状態で分離した部分や隙間からドライバ等の刃先の先端を入れて上側カバーおよび／または下側カバーを持ちあげれば、上側カバーおよび／または下側カバーを容易に取り外すことができる。
【００３３】
あるいは、その状態になった後で、油圧調整バルブ２２を調節して載置台１６を下降させてスマートフォン等３１を載置台１６から取り外す。スマートフォン等３１のせん断面において、上側カバーと下側カバーの一部または全部が分離して生じた隙間にドライバ等の刃先の先端を入れて上側カバーおよび／または下側カバーを持ちあげれば、上側カバーおよび／または下側カバーを容易に取り外すことができる。尚、傾斜させずにＳ３側面とＳ４側面をそれらの面に対して略垂直に押圧する（圧縮）して、せん断面Ｈに隙間等を生じさせることもできるが、傾斜する場合よりも大きな力が必要になるので、手動で油圧ポンプを操作する場合は傾斜させた方が良い。電動で油圧ポンプを動かす場合でもより大きな力を加える必要がある。また、傾斜角度は側面Ｓ２またはせん断面Ｈと載置台１６の上面（平坦面）とのなす角度は７５度〜１５度が良い。ドライバは刃先が細くなっているマイナスドライバが隙間等へ挿入しやすくて良い。刃先の幅やドライバの長さや太さは両ふたの分離部分の大きさにより適宜選択すれば良い。或いは、マイナスドライバでなくても先端部が細い冶工具（開き刃）を挿入して、その分離部分をさらに広げて、前記携帯機器の表蓋および裏蓋を分離することもできる。隙間が小さい場合は先端部が尖った冶工具（たとえば、錐、千枚通し）を入れても良い。隙間が大きい場合は、先端が細くなくても棒状または板状の冶工具でも良い。隙間が中間的な場合は、たとえば、センターポンチやシャーシパンチや先端が円錐状になったドライバを使っても良い。冶工具とは、冶具、工具のことである。冶具には、隙間に入れて蓋を分離することができるものとして作製したものや、隙間に入って蓋を分離できる既存物（たとえば、棒状、板状、先端が円錐状・角錐のもの）を適用したものを含む。工具には、工作に用いる道具であり、たとえばドライバ、錐であり、種々のものが存在するが、ここでは隙間に入って蓋を分離できる工具である。
【００３４】
これまでの説明で分かるように、せん断刃を有するせん断機（携帯機器蓋分離装置）と携帯機器の側面を押圧（圧縮）する装置（これも携帯機器蓋分離装置）は別々の装置でも良いことは言うまでもない。携帯機器の側面を押圧（圧縮）する装置の場合、Ｓ３側面を押さえるストッパを持つ板状の台（Ｅ台）とＣ側面を押さえるストッパを持つ台（Ｆ台）があり、Ｅ台とＦ台とが直交して移動する機構を用いて、Ｅ台に備わるストッパをＦ台に備わるストッパに近づけることによって押圧する機構であれば、携帯機器の側面を（傾斜することも含めて）押圧（圧縮）し、携帯機器の表蓋および裏蓋を分離することもできる。Ｅ台とＦ台とが直交して移動させる装置として油圧ポンプ（手動または電動）を用いることができる。
【００３５】
図２をもとにして説明した内容をさらに詳細に説明する。図３は、載置台４１に略直方体形状のスマートフォン等５５を設置する状態を示す図である。載置台４１には、前方ストッパ４４、横方向ストッパ４５が左右に配置されている。また、載置台４１の上方にせん断刃４２が設置されており、せん断刃４２は載置台４１に対して＜相対的に＞上昇または下降できる。図２では載置台を油圧ポンプを用いて上下に移動させていたが、せん断刃４２を上下に移動させても良いという意味で、＜相対的に＞という語句を使用している。せん断刃４２を移動させるときも油圧ポンプ（手動または自動（電動））を用いることができる。載置台４１にスマートフォン等５５を載置するために、せん断刃４２は載置台４１の上方に上げて、せん断刃４２の直下にスマートフォン等を入れる空間を作る。せん断刃４２の刃先はスマートフォン等５５を直線状にせん断できるように直線状になっている。
【００３６】
スマートフォン等５５は、略直方体形状であり、表示画面を有する面（表面とも言う）とその反対面である面（裏面とも言う）と、４つの側面で囲まれている。載置台４１の上面（載置面）にスマートフォン等５５を載せて｛このとき上を向いた面を上方面Ｓ５、下を向いた面（すなわち、載置台４１の載置面に面した面）を下方面Ｓ６とする。上方面Ｓ５はスマートフォン等５５の底面のうちの１つである表面か裏面であり、下方面Ｓ６はその逆の面である。｝、せん断刃４２と載置台４１との間の空間からスマートフォン等５５を押入れて、４つの側面のうちの１つの側面Ｓ１を前方ストッパ４４に押し当てる。ストッパ４４が側面Ｓ１と当接する面はせん断刃４２の刃先と平行になっている。スマートフォン等５５の側面Ｓ１は、ストッパ４４で押さえられるので、せん断刃４２の刃先とも平行になる。スマートフォン等５５を載置台４１に載せて前方ストッパ４４を向いた方をスマートフォン等５５の前方と呼び、前方ストッパ４４に当接するスマートフォン等５５の側面Ｓ１を前方面と呼ぶ。また、側面Ｓ２を後方面、側面Ｓ３およびＳ４を横方向側面と呼ぶ。
【００３７】
スマートフォン等５５の横方向側面Ｓ３、Ｓ４を押さえて、スマートフォン等５５のせん断時に横方向へ移動しないように、横方向ストッパ−４５が載置台４１上に配置されている。横方向ストッパ−４５は、スマートフォン等５５の横方向側面のどちらか一方側でもスマートフォン等５５の横方向の位置決めが可能であるが、スマートフォン等５５の横方向側面の両側に配置しておけば、スマートフォン等５５を横方向に動かないように位置決めできる。スマートフォン等５５の幅（側面Ｓ３とＳ４）をＷとすれば、横方向側面の両側に配置された２つの横方向ストッパ−４５の側面押さえ面同士の距離は、Ｗ以上必要である。スマートフォン等の大きさは千差万別であるから、横方向ストッパ−４５は横方向へ移動できるようにしておくことが望ましい。たとえば、スマートフォンの幅(短辺側で横幅とも言う)の例として約４０ｍｍ〜６０ｍｍで、幅（長辺側で縦幅または長さとも言う）の例として約８０ｍｍ〜１２０ｍｍである。これ以上のサイズの携帯機器はあるから、それに合わせたサイズのものを用意すれば良い。当然、載置台も大きくなるし、図２で記載した支柱やせん断刃固定台のサイズも大きくなるし、油圧ポンプもより重いものを昇降するのでの性能が良くサイズも大きいものが必要となり、適宜選定すれば良い。スマートフォンの厚みは、５ｍｍ〜１５ｍｍであるから、これらの厚みのものをせん断刃の下の載置台に載置できるように。せん断刃を載置台から離せるようにする必要がある。タブレットやノートパソコンはこれよりも厚いので、せん断の対象となる携帯機器の厚みに合わせて、せん断刃と載置台の離間距離を調整できるような装置を設計する必要がある。また、せん断する携帯機器のせん断強度に適用できるように、油圧ポンプの能力も選択する必要がある。
【００３８】
図３に示す横方向ストッパ−４５は直方体形状（または板状）であり、横方向へ長穴４６が形成されており、この長穴４６へガイド棒４７が通っている。ガイド棒４７は載置台４１に取り付けられているので、ガイド棒４７を利用して長穴４６に沿って横方向ストッパ−４５を横方向（矢印５１で示す）へ移動することができる。ガイド棒４７にネジを形成しておけば、ボルト等で締めて横方向ストッパ−４５を載置台４１に固定することもできる。横方向ストッパ−４５を移動させて、スマートフォン等５５の側面Ｓ３およびＳ４に当接させて横方向からスマートフォン等５５の位置決めを行ない、スマートフォン等５５のせん断時にスマートフォン等５５が横方向に動かないように固定できる。
【００３９】
スマートフォン等５５の上側ふた（蓋）５７と下側ふた（蓋）５８の接続部を破線５６で示す。破線５６はスマートフォン等５５の側面に形成されているが、上側ふた５７が下側ふた５８に被さっている場合もあれば、その逆もあるので、破線５６は外観上の境界線と考えても良い。あるいは、境界線５６はスマートフォン等５５の側面に形成されない場合もある。たとえば、上部が空いた箱状ケースに上から1枚の板（たとえば、パネル板）が箱状ケースに接着されたスマートフォン等５５である場合には、その接続部は上面に存在する。５０はせん断刃４２が相対的に下降してスマートフォン等５５を完全にせん断したときに、せん断刃４２が載置台４２に接触しないようにするための溝または穴（穴の場合は、載置台４１を貫通する貫通穴である。以下、せん断刃挿入溝または逃がし溝と称する。）である。せん断刃挿入溝５０はせん断刃４２のサイズより当然大きく、スマートフォン等５５をせん断したときに発生する切り屑や切り粉が入るので、切り屑や切り粉がせん断に影響を与えないという効果もある。溝や穴に入った切り屑や切り粉はスマートフォン等５５をせん断して載置台４１から取り外した後で除去すれば良い。
【００４０】
図４は、スマートフォン等５５の側面Ｓ１の近傍をせん断する直前の状態、すなわち、せん断刃４２の刃先がスマートフォン等５５の上方面Ｓ５に接触した状態、またはスマートフォン等５５の上方面Ｓ５に少し食い込ませた状態を示す図である。スマートフォン等５５の縦方向側面（前方側面）Ｓ１を前方ストッパ４４の側面に当接して合わせ、スマートフォン等５５の横方向側面Ｓ３およびＳ４を横方向ストッパ４５の側面で押さえる。この状態でせん断刃４２を相対的に下降させてスマートフォン等５５の上方面Ｓ５に接触させる。（上方面とは、スマートフォン等５５の上面または下面であり、載置台４１の上面に接触させる面はスマートフォン等５５の上面でも下面でも良いので、載置台４１にスマートフォン等５５を載置したときに上方を向く面ということで、＜上方面＞と名付ける。）せん断刃４２の幅はスマートフォン等５５の幅Ｗより広くして、スマートフォン等５５を横方向に完全にせん断できるようにすることが望ましいが、本発明の目的である内蔵電池を取り出すことができる場合は、せん断刃４２の幅はスマートフォン等５５の幅Ｗより狭くして、スマートフォン等５５を横方向に一部せん断するようにしても良い。
【００４１】
せん断刃４２はスマートフォン等５５の前方側面Ｓ１から距離（長さ）Ｌの所に接触するようにする。このＬは５ｍｍ〜６ｍｍに設定すれば、殆どのスマートフォン等５５において、内蔵電池に接触することはなくスマートフォン等５５をせん断できる。しかもこの値に設定すれば、問題なくスマートフォン等５５の前方側面Ｓ１近傍をせん断できて、上側ふた５７と下側ふた５８を一部または全部を分離することができる。せん断刃４２の刃先は４３で示すように、前方側へ傾斜して細くなるようにする。このようにすることによって、スマートフォン等５５をせん断したときに、スマートフォン等５５を後方側に徐々に押し出すので、せん断された後方側のスマートフォン等５５の側面の接続部分５６が分離しやすくなる。また、スマートフォン等５５のせん断面が比較的なめらかな状態になる。さらに、スマートフォン等５５の後方面Ｓ２にもストッパ（後方ストッパ）を設置して後方からもスマートフォン等５５を規制しておけば、せん断された後方側のスマートフォン等５５の側面の接続部分５６が分離しやすくなる。また、吹き出し矢印５９のように、スマートフォン等５５の後方側の上方面Ｓ５を上から押さえておけば、スマートフォン等５５のせん断時にスマートフォン等５５が押し上げられることもなく、せん断された後方側のスマートフォン等５５の側面の接続部分５６が分離しやすくなる。特に、図４に示す状態でせん断刃４２をスマートフォン等５５の上方面Ｓ５に接触または少し食い込ませた状態で一旦停止させて、その後にせん断していくとスマートフォン等５５の側面の接続部分５６が分離しやすくなる。
【００４２】
図５は、図４の状態における横方向側面Ｓ３に平行な面の断面図を示す図である。すなわち、図５は、スマートフォン等５５の前方側面Ｓ１の近傍をせん断する直前の状態、すなわちせん断刃４２の刃先がスマートフォン等５５の上方面Ｓ５に接触した状態、またはせん断刃４２の刃先がスマートフォン等５５の上方面Ｓ５に少し食い込んだ状態を示す図である。せん断刃４２の刃先４３は、先端へ向かって前方側へ傾斜して細くなっており、前方側面Ｓ１側の刃先は載置台４１の上面（載置面）に垂直になっていて、ストレート面（線）である。すなわち、せん断刃４２はスマートフォン等５５の上方面Ｓ５に直角に当たりせん断していく。せん断刃４２の直下における載置台４１にはせん断刃挿入（またはせん断刃受け）溝５０が形成されており、せん断刃４２で載置台４１に置かれたスマートフォン等５５を完全にせん断しても、せん断刃４２は載置台４１には接触しない。
【００４３】
図６は、スマートフォン等５５をせん断刃４２でせん断した状態を示す図である。せん断刃４２は、スマートフォン等５５の側面Ｓ１の近傍を幅方向に完全にせん断し、せん断刃挿入溝５０に入り込んだ状態である。スマートフォン等５５は前方部分５５−２と後方部分５５−１に分割されている。後方部分５５−１の側面Ｓ３において、上側ふた５７と下側ふた５８は接続部５６において一部が分離して、隙間６１が空いている。図６では、一部だけ隙間６１が形成されているが、上側ふた５７と下側ふた５８の接着度具合によっては、上側ふた５７と下側ふた５８が接続部５６において全体で分離する場合もある。これは、スマートフォン等５５をせん断刃４２でせん断するとスマートフォン等５５を後方側に押し出す力が働くが、横方向ストッパ４５によりスマートフォン等５５が後方に動きにくい状態になっているので、上側ふたを上方へ押し上げ、上側ふた５７と下側ふた５８がその接続部分５６で一部または全部が分離すると考えられる。特にスマートフォン等５５の後方部分５５−１の中央付近で分離しやすい。横方向ストッパ４５の厚みをスマートフォン等５５の下側ふた５８の厚みよりも小さくして、横方向ストッパ４５で下側ふた５８だけを横方向から押さえるようにすれば、上側ふた５７と下側ふた５８が分離しやすくなる。
【００４４】
隙間が形成されたら、その隙間６１から先端が細く平べったいもの、たとえばマイナスドライバの先端部を入れて、押し広げるか持ちあげるかして、上側ふた５７と下側ふた５８を分離することができる。先端が細いキリ状の冶具を入れて上側ふた５７と下側ふた５８を分離することができるが、先端が細く平べったいものの方が上側ふた５７と下側ふた５８を分離しやすい。このとき、載置台４１にスマートフォン等５５を載せた状態で行なっても良いし、載置台４１からスマートフォン等５５を取り外して行なうこともできる。図７は、スマートフォン等のふた分離用開き刃を有するせん断機を示す図である。図７に示す細長く先端部が細くなった刃６４を有する（板状の）開き刃６３を横方向ストッパ４５に取り付ける。横方向ストッパ４５には中央部に空間（穴）４８が形成されており（図３〜図６を参照）、その空間４８に載置台４１に取り付けられた開き刃６３のガイド棒４９が配置されている。開き刃６３のガイド棒４９は横方向ストッパ４５の厚さより長いが、空間４８は広い領域なので、横方向ストッパ４５はガイド棒４９の回りで移動できる。載置台４１にガイド棒４９が入るネジ穴を形成しておき、ガイド棒４９にもネジを入れておくことにより、載置台４１から取り外しも可能である。
【００４５】
開き刃６３には長穴６５が形成されており、ガイド棒４９をこの長穴６５に通して横方向ストッパ４５に取り付けることができる。開き刃６３はガイド棒４９を入れた状態で長穴６５に沿って移動することができ、また開き刃６３はガイド棒４９の回りに自由に回転できる。ガイド棒にネジを形成しておけば、ナットを入れて開き刃６３を横方向ストッパ４５に固定することもできる。図７に示すように、この開き刃６３の先端部をスマートフォン等５５の横方向側面Ｓ３やＳ４に生じた隙間６１に入れて、隙間６１の内部に回しながら押し込めば、上側ふた５７と下側ふた５８を容易に分離できる。隙間６１の内部に開き刃６３を押し込んで、てこの原理を使って開き刃６３の先端側を上下に動かすこともできるので、上側ふた５７と下側ふた５８が強固に接着していても小さい力で容易に分離できる。開き刃６３は、横方向の両側の横方向ストッパ４５に設置できるので、横方向の両側面Ｓ３およびＳ４に生じた隙間から開き刃６３をそれぞれ入れて、両側面の隙間から上側ふた５７と下側ふた５８を容易に分離できる。
【００４６】
上側ふた５７と下側ふた５８が分離したら、内蔵した電池が見える場合は、スマートフォン等５５を載置台４１から取り外さなくとも容易に内蔵電池を取り外すことができる。（表示画面のある底面（表面）を下方面として、その反対の底面（裏面）を上方面として載置台４１に載置すれば、上側ふた（上方面側にあるふた）が外れたときに内蔵電池が見える。）上側ふた５７と下側ふた５８が分離した状態で、あるいは上側ふた５７と下側ふた５８が容易に（マニュアルで）分離できるようになった状態で、開き刃６３をスマートフォン等５５から離して、さらに両側に設置した横方向ストッパをスマートフォン等５５から離す。また、その前後にせん断刃４２を相対的に上昇させてスマートフォン等５５から離す。内蔵電池を取り外したスマートフォン等５５は次のリサイクル段階（たとえば、破砕機や選別機）へ移す。
【００４７】
上方側面Ｓ１の近傍のスマートフォン等５５をせん断しても上側ふたと下側ふたが分離しない場合や分離しても開き刃やドライバ等の先端部が入らない場合は、以下のようにして上側ふたと下側ふたを分離する。上方側面Ｓ１の近傍のスマートフォン等５５をせん断した後に、せん断刃４２を載置台４１に対して相対的に上昇させ、また横方向ストッパ４５を広げて、せん断したスマートフォン等５５を載置台４１から取り外す。せん断したスマートフォン等５５の後方側（埋蔵電池が存在する方）のせん断面７７は、上側ふた５７と下側ふた５８の間に各種基板やＩＣとの素子や端子等が積層されている。そこで、スマートフォン等５５の（横方向）側面Ｓ３とＳ４を押しつぶして、上側ふた５７と下側ふた５８を分離することができる。図８は、スマートフォン等５５の圧縮式上側ふた５７と下側ふた５８の分離装置（上下ふた分離装置（押圧装置）とも呼ぶ）を示す図である。この上下ふた分離装置（押圧装置）は、図８に示すように、スマートフォン等５５のせん断機と兼用できる。
【００４８】
図８は、図２と同様の構造であり、せん断刃４２を固定するせん断刃固定台７５が存在し、せん断刃固定台７５は支柱７３によって支持されている。（図３〜図７では、せん断刃固定台や支柱等は省略している。）固定具７４はせん断刃固定台７５と支柱７３を固定している。支柱７３は載置台４１に形成された貫通穴８１を通って、たとえば図１に示す基台１２に取り付けられている。せん断刃固定台７５およびせん断刃４２は載置台４１に対して相対的に上下に昇降可能である。たとえば、図１と同様に油圧ポンプを用いて載置台４１を昇降させても良いし、昇降機構（たとえば、ネジ回し昇降機構）を用いて支柱７３を昇降させることもできる。せん断刃固定台７５には、横方向ストッパ４５側にスマートフォン等斜め置きストッパ（上部、せん断刃固定台側）７８が取り付けられていて、スマートフォン等５５のせん断面７７を傾斜させてスマートフォン等５５を設置したときに、スマートフォン等５５の（横方向）側面Ｓ３（またはＳ４）を押さえる抑制機構である。図８では、スマートフォン等斜め置きストッパ（上部）７８は、３本の棒状（柱状または幅の狭い板状でも良い）であるが、２本でも良いし、４本以上でも良い。スマートフォン等５５を押しつぶしたときに外れなければ、１本でも良い。あるいは、スマートフォン等斜め置きストッパ（上部）７８は一体となった板状でも良いし、せん断刃固定台７５に窪み部を形成してそこにスマートフォン等５５の（横方向）側面Ｓ３（またはＳ４）を入れ込めるようにして押さえる抑制機構でも良い。種々の大きさのスマートフォン等５５に適用するために、多数の棒状ストッパ７８を取り付けておき、スマートフォン等５５の側面Ｓ３（Ｓ４）の長さにより、押さえる棒状ストッパ７８の数を選択すれば良い。板状ストッパで押さえる場合は、適用する最大サイズの スマートフォン等５５に合わせて、板状ストッパの長さを決定すれば良い。
【００４９】
せん断刃固定台７５を相対的に昇降させて、スマートフォン等５５の（横方向）側面Ｓ３（またはＳ４）をスマートフォン等斜め置きストッパ（上部）７８にかけて、他方側のスマートフォン等５５の（横方向）側面Ｓ４（またはＳ３）を載置台４１に配置したスマートフォン等斜め置きストッパ（下部）８２で押さえるようにして、スマートフォン等５５が載置台４１に対して傾斜角αでセットする。スマートフォン等斜め置きストッパ（下部）８２は、スマートフォン等５５を斜めに押しつぶした時に外れなければ、横方向ストッパ４５と兼用しても良い。スマートフォン等斜め置きストッパ（下部、載置部側）８２（４５）は、横方向（Ｘ方向）には長穴（ガイド穴）４６とガイド棒４７で移動して固定でき、縦方向（Ｙ方向）には長穴（ガイド穴）７１とガイド棒７２を用いて移動して固定できる。スマートフォン等斜め置きストッパ（下部、載置部側）８２（４５）のＳ４（またはＳ３）を押さえる長さ（Ｘ方向）も適宜選択すれば良い。図８に示すように、スマートフォン等斜め置きストッパ（下部、載置部側）８２（４５）が２つであれば、スマートフォン等５５の側面Ｓ４（またはＳ３）の両端を押さえておけば良いので、それぞれのＸ方向長さも余り長くする必要はない。スマートフォン等斜め置きストッパ（下部、載置部側）８２（４５）の位置を調節して、スマートフォン等５５の傾斜角度αを調整できる。あるいは、スマートフォン等斜め置きストッパ（上部）７８の高さを調節して（せん断刃固定台７５を（Ｚ方向に）昇降させて調節できる）、スマートフォン等５５の傾斜角度αを調整できる。あるいはその両方で傾斜角度αを調整できる。
【００５０】
上下ふた分離装置（押圧装置）において、スマートフォン等斜め置きストッパ（上部）７８を固定したせん断刃固定台７５を載置台４１に対して相対的に下降させて、上下ふた分離装置（押圧装置）に傾斜して設置したスマートフォン等５５を（横方向）側面Ｓ３およびＳ４間で押圧する。すなわち、図９は、傾斜して設置したスマートフォン等５５を押しつぶす（押圧する）状態を示す図である。このとき、スマートフォン等５５には上方面Ｓ５および下方面Ｓ６の鉛直方向に大きな分力が外側方向にかかるので、スマートフォン等５５の上側ふた５７および下側ふた５８の特に中央部（斜め方向、すなわちスマートフォン等５５の横方向における）が外側に変形しやすい。この結果、せん断面７７の中央付近から広がった隙間（空間）７９が形成される。（図９では、せん断眼７７の厚み方向において中央部が広がるように記載しているが、通常はふたが外側に変形する（膨らむ）ので、上側ふた５７および／または下側ふた５８と各種内蔵基板との間に隙間７９は形成しやすい。）スマートフォン等５５によっては、上側ふた５７および下側ふた５８が完全に分離する場合もある。或いは、スマートフォン等の上側ふたと下側ふたの結合度合いによっては、ストッパ７８や８２の近傍で、上側ふたと下側ふたとの接合部分が分離したり、上側ふたおよび／または下側ふたが破壊する場合もある。すなわち、せん断時の状態によっても変化するので、種々の分離形態がある。
【００５１】
せん断面７７と反対側の面（後方面）Ｓ２においても上側ふた５７および下側ふた５８の一部が分離する場合もあるが、後方面Ｓ２側はせん断していないので、上側ふた５７および下側ふた５８は強固に接着しているので、上側ふた５７および下側ふた５８は分離しにくい。せん断面７７側は、上側ふた５７および下側ふた５８は（強固には）接着しておらず、基板等が積層しているだけなので、押しつぶす力が弱くても容易に隙間７９が形成されかつ大きくなる。この状態でマイナスドライバ等の先端部をこの隙間７９に入れて押し広げれば容易に上側ふた５７および下側ふた５８を分離できる。或いは、せん断刃固定台７５を載置台４１に対して相対的に上昇させるか、スマートフォン等斜め置きストッパ（下部、載置部側）８２（４５）をＹ方向（の外側方向）へ移動させるかして、スマートフォン等５５を載置台４１から取り外した後に、マイナスドライバの先端部をこの隙間７９に入れて押し広げれば容易に上側ふた５７および下側ふた５８を分離できる。マイナスドライバ以外に、先端部が細くなっている棒状または板状またはきり状の冶具を用いて上側ふた５７および下側ふた５８を分離しても良い。
【００５２】
傾斜角αは、１５°〜７５°が良い。αが７５°以上では押しつぶす力が大きくなり、手動の油圧ポンプでは上側ふた５７および下側ふた５８を分離するのが困難である。（もちろん、人によっては、または機械を使えば、分離することは可能である。）好適には３０°〜６０°が良い。もっと好適には４０°〜５０°が良い。αが４５度近辺の場合には上方面Ｓ５および下方面Ｓ６の鉛直方向における分力が最も大きくなるので、上側ふた５７および下側ふた５８を容易に分離できる。上側ふた５７および下側ふた５８を外せば、内蔵電池を容易に取り出すことができる。
【００５３】
図８および図９に示す上下ふた分離装置（押圧装置）はせん断機と兼用であるから、せん断刃４２によりスマートフォン等５５をせん断したときにせん断刃４２が載置台４１と接触しないように、せん断刃逃がし溝（または穴）（またはせん断刃落ち溝）５０が配置されている。上記説明において、スマートフォン等５５のせん断部分については、直方体形状（正方形状を含む）の４側面を限定していない。すなわち、Ｌ＝３〜１０ｍｍ（好適には５〜６ｍｍ）に設定すれば殆どの携帯用（電子）機器のいずれの４側面でも良い。従って、本発明のせん断機はその都度スマートフォン等５５の機種の中身（特に内蔵電池位置）をカタログや図面等で調査する必要はなく、装置名や機種名によらずすぐにせん断できるという利点があり、作業スピードを速くできる。ただし、スマートフォンや携帯電話の場合は、図２およびその説明からも分かるように、内蔵電池の位置が短辺側側面から離れているので、短辺側側面（長手方向の側面）をＳ１としてせん断した方が良く、せん断面積も少なくて済むのでせん断する力も小さい。また、内蔵電池は表示画面とは反対側の方から取り出しやすいので、載置台に載置するときに上方面を表示画面ではない面（裏面）にすると上方面が分離したときに内蔵電池を取り出しやすい。さらに、上下ふた分離装置（押圧装置）の場合は、スマートフォン等の長手方向を横にした方が、スマートフォン等斜め置きストッパ（上部、せん断刃固定台側）７８と載置台４１との距離を大きくしなくても良いので、作業性や作業効率、および作業スピードが良い。また、スマートフォン等を押しつぶす力も小さいというメリットもある。尚、せん断機と上下ふた分離装置（押圧装置）は兼用せずに個別装置とすることも可能である。また、本発明の装置を使えば、一つの側面の近傍をせん断しても上下ふたが分離しにくい場合は、対向する２つの側面の近傍をせん断することもできる。さらに本発明の装置を使えば、３つまたは４つの側面の近傍もせん断できるので、さらに容易に上下ふたを分離できる。
【００５４】
図１０は、本発明の別の実施形態を示す図である。基本図は図２と同じであるから、図２と同じかまたは類似する部材は同じ符号を付す。図１０は、本発明の携帯機器（スマートフォン等）分離装置の側面図を示す図である。基台１２に油圧ポンプ１０が配置されており、載置台１６またはせん断刃１７を上下に移動させて、携帯機器の１つの側面の近傍を切断する。これまでに示した実施形態と異なるのは、携帯機器の１つの側面の近傍をその側面に対して斜め方向に切断することである。すなわち、図１０に示す携帯機器（スマートフォン等）分離装置は、２つの底面（Ｅ底面、Ｆ底面）および４つの側面（Ａ側面、Ｂ側面、Ｃ側面、Ｄ側面：Ａ側面とＤ側面は対抗面、Ｂ側面とＣ側面は対抗面）を持つ略直方体形状の携帯機器の１つの側面（Ａ側面）から内蔵電池が配置される位置までの領域において、前記携帯機器の１つの底面（Ｅ底面）から他の底面（Ｆ底面）に向かって前記携帯機器の厚み方向に対して斜め方向に、Ａ側面側の前記携帯機器の一部または全部をせん断して、前記携帯機器のＥ蓋（Ｅ底面側の蓋）およびＦ蓋（Ｆ底面側の蓋）の接続部の一部または全部を露出させる工程（せん断工程）を含む、前記携帯機器のＥ蓋（Ｅ底面側の蓋）およびＦ蓋（Ｆ底面側の蓋）の接続部の一部または全部を分離する携帯機器の蓋分離装置である。携帯機器（スマートフォン等）を傾斜させて切断（せん断）する方法も比較的簡便であり、垂直に切断する場合に比べて、切断面（せん断面）がきれいである（整っている）という場合があり、その後の開き刃等で隙間を開けやすく電池を取りやすい場合がある。
【００５５】
本実施形態では、携帯機器（スマートフォン等）３１を載置台１６に対して傾斜させて配置する。携帯機器（スマートフォン等）の電池が配置されている側の側面（Ａ側面とする。通常は略直方体形状のスマートフォン等であれば、短辺側の側面である。）を載置台１６における前方（図１０では右側）の下側にし、Ａ側面と反対側の側面（Ｄ側面とする。）を後方（図１０では左側）の上側にして傾斜させる。この傾斜は、たとえば手で行なっても良いし、携帯機器３１の裏面（表示面と反対面の通常の裏面ではなく、単に下（裏）側になった面であり、Ｆ面とする。）を抑える裏面（Ｆ面）支持部材１０１で保持しても良い。裏面支持部材１０１は載置台１６に固定部材１０２で連結されており、固定部材１０２を調節することにより裏面支持部材１０１を固定部材１０２の周りに回転できるので、裏面支持部材１０１と載置台１６との角度を変えることができる。その結果、携帯機器（スマートフォン等）３１を適当な角度（β）で傾斜させて、載置台１６に配置できる。適当な角度で固定部材１０２（たとえば、ネジやボルトで）を締めて載置台１６に固定する。尚、裏面支持部材１０１と携帯機器（スマートフォン等）３１との接触点（または接触線または接触面）をＵとする。
【００５６】
前方の位置出し（または位置決め）は、載置台１６の前方に配置した前方ストッパ２６を載置台１６上で移動させて行なうことができる。たとえば、斜めに傾けた携帯機器（スマートフォン等）３１のＡ側面側の角部（Ｅ底面とＡ側面との交叉部）または角部近傍（角部の周り）を前方ストッパ２６の後方側の側面（前方ストッパ２６の形状を直方体（板）状とすれば、後方側面）に当てて位置出しする。前方ストッパ２６は載置台１６上で前後左右に移動できるので、携帯機器（スマートフォン等）３１の前方側の位置決めを行なうことができる。尚、前方ストッパ２６の高さが斜めに置いた携帯機器（スマートフォン等）３１のＡ側面側の角部（Ｅ底面とＡ側面との交叉部）の高さよりも大きくしておけば、前方ストッパ２６の後方側の側面が携帯機器（スマートフォン等）３１のＡ側面側の角部に当たる（接触する）。Ａ側面側の角部（Ｅ底面とＡ側面との交叉部）の高さがＡ側面側の角部（Ｅ底面とＡ側面との交叉部）の高さよりも小さい場合は、前方ストッパ２６の後方側の側面角部は携帯機器（スマートフォン等）３１のＡ側面に当たる。携帯機器（スマートフォン等）３１の傾斜に合わせて、前方ストッパ２６の後方側の側面を傾斜させておけば、携帯機器（スマートフォン等）３１のＡ側面に前方ストッパ２６の後方側の側面が当たる。（接触部｛接触点（実際には、奥行きがあるので、接触線）または接触面である｝をＩとする。）いずれにしても前方ストッパ２６で携帯機器（スマートフォン等）３１の前方側の位置決めが可能である。
【００５７】
携帯機器（スマートフォン等）３１の後方側は、載置台１６の後方に配置した後方ストッパ３２で位置決めができる。後方ストッパ３２の形状は直方体（板）形状とすれば、後方ストッパ３２の前方側の側面角部が携帯機器（スマートフォン等）３１のＦ底面に当たり（接触点（線、面）をＪとする）、携帯機器（スマートフォン等）３１の斜面（Ｆ底面）を支えて、携帯機器（スマートフォン等）３１の後方側の位置出し（位置決め）ができる。後方ストッパ３２の高さをｈとすれば、後方ストッパ３２の側面の載置台１６上の位置（Ｊの横方向の位置）と高さｈとの関係により、携帯機器（スマートフォン等）３１の傾斜角βを決定できる。たとえば、Ｊの横方向位置を一定とすれば、ｈが大きいほどβは大きくなる。或いは、前述した裏面支持部材１０１を使用して、携帯機器（スマートフォン等）３１の後方側の位置出し（位置決め）ができるとともに、携帯機器（スマートフォン等）３１の傾斜角βを決定できる。
【００５８】
携帯機器（スマートフォン等）３１を傾斜させて、携帯機器（スマートフォン等）３１に内蔵される電池が存在する側の側面（Ａ側面）が下側になっている状態、すなわち、前方ストッパ２６、後方ストッパ３２、あるいは裏面支持部材１０１で位置決めされた携帯機器（スマートフォン等）３１のＡ側面側のＥ底面にせん断刃１７を下して、せん断刃１７の刃先を携帯機器（スマートフォン等）３１のＡ側面側のＥ底面の接触部（点、線、または面）Ｍに接触させて、さらにせん断刃１７を下して、携帯機器（スマートフォン等）３１のＡ側面に対して斜め方向にせん断し、携帯機器（スマートフォン等）３１の蓋の接続部を露出させる。言い換えれば、２つの底面（Ｅ底面、Ｆ底面）および４つの側面（Ａ側面、Ｂ側面、Ｃ側面、Ｄ側面）を持つ略直方体形状の携帯機器の１つの側面（Ａ側面）から内蔵電池が配置される位置までの領域において、携帯機器の１つの底面（Ｅ底面）から他の底面（Ｆ底面）に向かって携帯機器の厚み方向に対して斜め方向に、Ａ側面側の携帯機器の一部または全部をせん断して、携帯機器のＥ蓋（Ｅ底面側の蓋）およびＦ蓋（Ｆ底面側の蓋）の接続部の一部または全部を露出させる。
【００５９】
内臓電池はできるだけ損傷しないようにする必要があるので、せん断刃１７は内臓電池に接触しないようにする。内臓電池に接触しなければ良いので、携帯機器の１つの側面（Ａ側面）から内蔵電池が配置される位置までの領域とは、せん断刃１７がせん断時に内臓電池に接触しない領域と考えても良い。また、せん断面に蓋の接続部が露出すれば良いので、せん断された部分が本体から分離されている必要はない。ただし、せん断後、内臓電池を取り出すので、せん断された部分が本体から分離されている方が望ましい。また、せん断された部分が本体から分離されている場合でも、せん断面に蓋の接続部が露出すれば良いので、せん断された部分がＦ底面の部分を含む必要はなく、Ａ側面の部分を含むだけでも良い。ただし、せん断後、内臓電池を取り出すので、せん断された部分がＦ底面の部分を含む方が望ましい。せん断刃１７は載置台１６に対して下ろすと記載したが、相対的に下すという意味であって、載置台１６がせん断刃１７に向って上昇しても良い。せん断刃１７（を固定するせん断刃固定台とともに）の上昇および下降、あるいは載置台１６の上昇および下降は、他の実施形態に示したものと同様に、油圧ポンプ１０や油圧ジャッキレバーハンドル２１等を用いて行なうことができる。
【００６０】
尚、傾斜させた携帯機器（スマートフォン等）３１のＡ側面のもう一つの角部は通常は載置台１６に置かれるが、前方ストッパ２６と携帯機器（スマートフォン等）３１との接触部Ｉ、後方ストッパ２６とＦ底面との接触部Ｊ、およびせん断刃と携帯機器（スマートフォン等）３１のＥ底面との接触部Ｍ、（裏面（Ｆ面）支持部材１０１を備える場合は、裏面（Ｆ面）支持部材１０１とＦ底面との接触部Ｕ）、により携帯機器（スマートフォン等）３１は支持されているので、携帯機器（スマートフォン等）３１のＡ側面のもう一つの角部は載置台１６と離れていても良い。せん断刃１７が降下して携帯機器（スマートフォン等）３１をせん断した後で載置台１６と接触すると載置台１６が損傷したり、せん断刃１７も損傷したりするので、これを防止するために、せん断刃挿入溝３８を設けても良い。図１０におけるせん断刃１７の刃先の向きは図２におけるせん断刃の刃先の向きと反対になっている。図１０に示す場合は、ストレートになった部分が携帯機器（スマートフォン等）３１の本体側（左側）にあるので、本体側の位置をより正確に規定できるため、携帯機器（スマートフォン等）３１に内蔵する電池により近付けてせん断できる。
【００６１】
図１０に示す本発明の実施形態では、本発明の携帯機器の蓋分離装置は、さらに傾斜させて配置した携帯機器（スマートフォン等）３１のＥ底面（上方面）を押さえるＥ底面押さえ部材３７を備えている。Ｅ底面押さえ部材３７は、Ｅ底面の一部または全部を押さえて、せん断直前、せん断時および／またはせん断後に携帯機器（スマートフォン等）３１が動かないようにして、スムーズに安定してせん断することを可能とする。また、このＥ底面押さえ部材３７は、せん断直前、せん断時および／またはせん断後に携帯機器（スマートフォン等）３１が動くと、せん断に余分な力が加わったり、せん断刃１７が破損したりするのを防止する。せん断刃１７が携帯機器（スマートフォン等）３１を接触部Ｍからせん断していくと、接触部Ｍやせん断部を支点として、携帯機器（スマートフォン等）３１の本体を上方に回転させるモーメントが作用するが、Ｅ底面押さえ部材３７は、この回転モーメントを抑える役目も果たす。Ｅ底面押さえ部材３７は携帯機器（スマートフォン等）３１と押さえ面Ｔで接触する。図１０では、Ｅ底面押さえ部材３７を板状体３７で示すが、棒状部材でも良い。板状体の場合は接触面積（Ｔ部分の面積）を比較的大きく取れるので、携帯機器（スマートフォン等）３１のＥ面の単位面積あたりに加わる力を小さく取れ、携帯機器（スマートフォン等）３１のＥ面への損傷をなくすか軽減できる。
【００６２】
図１０に示す携帯機器の蓋分離装置では、Ｅ底面押さえ部材３７はせん断刃１７と連動して動く。すなわち、せん断刃固定台１８に取り付けた（固定された）Ｅ底面押さえ機構とせん断刃固定台との連結部材３３にＥ底面押さえ機構が接続している。Ｅ底面押さえ機構は、連結部材３３に取り付けたＥ底面押さえ部支持部材３４、Ｅ底面押さえ部、Ｅ底面押さえ部支持部材３４とＥ底面押さえ部との連結部３５を含んで構成される。Ｅ底面押さえ部は、Ｅ底面押さえ部材３７、Ｅ底面押さえ部材３７と連結部３５とを接続するＥ底面押さえ部材３７と固定されている固定部材３６を含んで構成される。固定部材３６はＥ底面押さえ部材３７と一体で動き、連結部３５でＥ底面押さえ部支持部材３４と接続する。連結部３５でＥ底面押さえ部材３７の固定部材３６は自在に回転可能であり、携帯機器（スマートフォン等）３１の傾斜角に応じて自在に回転して、Ｅ底面押さえ部材３７の接触面が携帯機器（スマートフォン等）３１のＥ底面に平行に接触するようになっている。また、Ｅ底面押さえ部材３７の押力が均等に携帯機器（スマートフォン等）３１のＥ底面の接触面Ｔに加わるようになっている。
【００６３】
携帯機器（スマートフォン等）３１が傾斜して載置台１６上に配置されると、せん断刃固定台１８が相対的に下降していくが、これと連動して連結部材３３が下降し、同時にＥ底面押さえ部支持部材３４も下降していき、さらに同時に連結部３５も下降し、固定部材３６およびＥ底面押さえ部材３７も下降する。Ｅ底面押さえ部材３７は携帯機器（スマートフォン等）３１のＥ底面に接触するが、前述したように、連結部３５は回転自在であるから、Ｅ底面押さえ部材３７の接触面が携帯機器（スマートフォン等）３１のＥ底面に平行に接触面Ｔで接触する。Ｅ底面押さえ部材３７がＥ底面に接触した後は、接触面Ｔで反作用として上方への力が働くが、Ｅ底面押さえ部支持部材３４にはたとえばスプリング（たとえば、ばね、あるいはエアーシリンダー）が取り付けられているので、Ｅ底面押さえ部支持部材３４が上方へ縮んでいき、携帯機器（スマートフォン等）３１のＥ底面には一定以上の力が加わらないようになっている。すなわち、Ｅ底面押さえ機構は、Ｅ底面を押さえた後にＥ底面押さえ部（接触面Ｔの部分）に加わる一定以上の力を吸収する機構（押力吸収機構）を有する。従って、せん断刃固定台１８をどんどん下降させてもＥ底面押さえ部支持部材３４等（連結部材３５、固定部材３６、Ｅ底面押さえ部材３７）は携帯機器（スマートフォン等）３１のＥ底面の所からは下降せず、Ｅ底面を破損しないようになっている。（ある程度は損傷する可能性はある。）さらにせん断刃固定台１８が下降していくと、携帯機器（スマートフォン等）３１のＥ底面をＥ底面押さえ部材３７で押さえながら、せん断刃１７が携帯機器（スマートフォン等）３１に接触し（Ｍ）、そのまま携帯機器（スマートフォン等）３１のＡ側面領域をせん断する。携帯機器（スマートフォン等）３１のＥ底面はせん断刃１７に対して傾斜しているので、せん断面はＡ側面に対して傾斜している。
【００６４】
図１１は、図１０に示す本発明の携帯機器の蓋分離装置の斜視図を示す図である。図３〜図９に示す図と類似するので、同じかまたは類似する部材には同じ符号を付す。携帯機器（スマートフォン等）５５の傾斜を支えるスマートフォン等斜め置きストッパ（後方ストッパ）８２（図１０における３２）は、高さｈの略直方体形状で、載置台４１上に設置されている。スマートフォン等斜め置きストッパ（後方ストッパ）８２（３２）は長穴（ガイド穴）４６、７１が形成されており、ガイド棒４７、７２を使って前後（Ｙ方向）、左右（Ｘ方向）へ自在に移動でき、所定位置でガイド棒（たとえば、ネジ切れして）にナット締めして載置台４１に固定することができる。携帯機器（スマートフォン等）５５の傾斜角βはスマートフォン等斜め置きストッパ（後方ストッパ）８２（３２）のＹ方向位置と高さｈで決定できる。（前方位置は前方ストッパで位置決めされる。）高さｈの異なるスマートフォン等斜め置きストッパ（後方ストッパ）８２（３２）を種々用意しておけば携帯機器（スマートフォン等）５５の傾斜角βを任意に変更できる。あるいは、スマートフォン等斜め置きストッパ（後方ストッパ）８２（３２）をＹ方向へ移動させて傾斜角βを任意に変更できる。せん断刃４２（１７）のせん断しやすさから言えば、βは３０度〜６０度が良いが、これに限定されない。図１１では、スマートフォン等斜め置きストッパ（後方ストッパ）８２（３２）を２台配置しているが、１個でも良いし３個以上でも良い。１個の場合は携帯機器（スマートフォン等）５５の中央付近に配置されるようにするのが良く、２個の場合は携帯機器（スマートフォン等）５５の両側部分に配置されるようにするのが良い。
【００６５】
図１１では、前方ストッパは記載していないが、携帯機器（スマートフォン等）５５の前方面（Ａ側面）の一部または全部はせん断刃４２（図１０では１７）（が載置台４１に降りたときの位置）よりも前方にある。Ｅ底面押さえ部材８６（図１０では３７）は、板状部材でありその下面が、携帯機器（スマートフォン等）５５のＥ底面（図１１では、Ｓ５またはＳ６）に接触して、Ｅ底面を押圧している。Ｅ底面押さえ部材８６は、Ｅ底面押さえ部支持部材８４と連結部８５で連結する。連結部８５は前後左右に回転可能であり、携帯機器（スマートフォン等）５５のＥ底面の状態に応じて回転して、Ｅ底面と面状に接触する。Ｅ底面押さえ部支持部材８４が下降するとＥ底面押さえ部材８６がＥ底面を押圧するが、前述したように、Ｅ底面押さえ部支持部材８４は一定の力を受けて伸縮するので、Ｅ底面押さえ部材８６がＥ底面を押圧する力は一定以上にはならないので、Ｅ底面に過大な損傷を与えることはない。Ｅ底面押さえ部支持部材８４のこの伸縮機構は、たとえばバネやエアーシリンダー等を用いている。Ｅ底面押さえ部支持部材８４は棒状で示しているが、この形状に限定されない。Ｅ底面押さえ部支持部材８４はせん断刃固定台７５との連結部材８３に接続する。連結部材８３はせん断刃固定台７５の昇降に応じて昇降するので、Ｅ底面押さえ部材８６も連動して昇降する。連結部材８３は棒状で示しているがこれに限定されない。連結部材８３をＹ方向またはＸ方向に移動または伸縮する機構も備えることができるので、Ｅ底面押さえ部材８６がＥ底面に接触する位置も変化させることができる。
【００６６】
図１２は、図１０に示す本発明の携帯機器の蓋分離装置に付加した裏面（Ｆ面）支持機構９０（図１０では１０１の機構）を示す斜視図である。裏面（Ｆ面）支持機構９０は、Ｘ方向に伸びた長尺の板状（または棒状）の裏面（Ｆ面）支持部材９１（図１０では１０１に対応）が携帯機器（スマートフォン等）５５の裏面（Ｆ底面）を支えるように配置される。裏面（Ｆ面）支持部材９１は、裏面（Ｆ面）支持部材９１の位置（高さ（Ｚ方向）、前後位置（Ｙ方向））を決める裏面（Ｆ面）支持部材保持部材８９に保持されている。裏面（Ｆ面）支持部材保持部材８９は長穴８７が形成されており、その長穴８７に裏面（Ｆ面）支持部材９１が入り、裏面（Ｆ面）支持部材保持部材８９を長手方向に移動自在であり、留め具９２により任意の位置で固定できる。裏面（Ｆ面）支持部材保持部材８９は載置台４１にＹ方向へ移動自在に取り付けられている。たとえば、載置台４１の側面に長穴９２が形成されており、その長穴９２に裏面（Ｆ面）支持部材保持部材８９に取り付けた固定具８８（たとえば、ボルトやねじ）が入り、Ｙ方向の任意の位置で（たとえば、ナットで）固定できる。固定具８８は裏面（Ｆ面）支持部材保持部材８９の長穴８７にも入っているので、裏面（Ｆ面）支持部材保持部材８９を高さ（Ｚ方向）にも移動でき、かつＺ方向の任意の位置で固定できる。簡単に分かるように、裏面（Ｆ面）支持部材保持部材８９は固定具８８の周りに回転させて、固定具８８で任意の位置で固定することもできる。以上の移動や回転は、図中の矢印、ブロック矢印で示されている。裏面（Ｆ面）支持部材保持部材８９は載置台４１の反対側面にも設置できるので、裏面（Ｆ面）支持部材９１を両側の裏面（Ｆ面）支持部材保持部材８９で保持すれば、携帯機器（スマートフォン等）５５を安定して傾けて配置することができる。このように、簡単な裏面（Ｆ面）支持機構９０により、携帯機器（スマートフォン等）５５の裏面（Ｆ底面）の任意の位置で携帯機器（スマートフォン等）５５の裏面（Ｆ底面）を支持できる。
【００６７】
図１３は、図１１に示す本発明の携帯機器の蓋分離装置に付加した図１２とは異なる裏面（Ｆ面）支持機構９４（図１０では１０１の機構）を示す図である。裏面（Ｆ面）支持機構９４は、載置台４１に形成したＹ方向に長い長穴９６に裏面（Ｆ面）支持部材９５の一端を配置して、裏面（Ｆ面）支持部材９５をＹ−Ｚ方向（矢印９７で示す）に回転できるようにしたものであり、裏面（Ｆ面）支持部材９５で携帯機器（スマートフォン等）５５の裏面（Ｆ底面）を支持して、裏面（Ｆ面）支持部材９５の回転度合に応じて携帯機器（スマートフォン等）５５の傾斜角度βを可変できるようにしたものである。裏面（Ｆ面）支持部材９５は長尺の棒状、角状、または板状であるが（これらに限定さない）、片側の端を長穴９６に配置して、長穴９６に設けた軸に裏面（Ｆ面）支持部材９５を入れてＹ方向（矢印９７）に回転できるようにする。回転は任意の位置で固定できるようにストッパを配置する。裏面（Ｆ面）支持部材９５の他方の端面で携帯機器（スマートフォン等）５５の裏面（Ｆ面）を接触して受けるようにすることによって、携帯機器（スマートフォン等）５５を傾斜して保持できる。裏面（Ｆ面）支持部材９５の傾斜角が携帯機器（スマートフォン等）５５の傾斜角となる。（正確には、β＝９０度−裏面（Ｆ面）支持部材９５の傾斜角）長穴９６をＹ方向に長くすれば、裏面（Ｆ面）支持部材９５を載置台４１内に収納することもできる。このような簡単な機構でも携帯機器（スマートフォン等）５５を安定して傾斜することができる。
【００６８】
以上詳細に説明したように、本発明は、スマートフォン等の携帯機器の側面をせん断するか、および／またはスマートフォン等の携帯機器の側面を押圧してスマートフォン等の携帯機器の側面をせん断する携帯機器の蓋を分離する携帯機器蓋分離装置および携帯機器蓋の分離方法を提供する。また、本発明は、スマートフォン等の携帯機器を傾斜させてスマートフォン等の携帯機器の側面をせん断する携帯機器の蓋を分離する携帯機器蓋分離装置および携帯機器蓋の分離方法を提供する。本発明の装置は、小型で軽量であり、手動操作も可能であるから、運搬しやすくいつでもどこでも誰でも作業できる。従って、従来困難でありコスト増の要因になっていた携帯機器の蓋を分離し内蔵電池を取り出す作業が非常に簡単になり、携帯機器のリサイクル費用を低減できる。本発明は、携帯機器等に含まれる貴金属類の回収に多大に貢献することができる。尚、本明細書において、明細書のある部分に記載し説明した内容について記載しなかった他の部分においても矛盾なく適用できることに関しては、当該他の部分に当該内容を適用できることは言うまでもない。特に図２〜図９に基づいて説明した内容は図１０〜図１３に基づいて説明した内容にも適用できる。さらに、前記実施形態は一例であり、要旨を逸脱しない範囲内で種々変更して実施でき、本発明の権利範囲が前記実施形態に限定されないことも言うまでもない。
【産業上の利用可能性】
【００６９】
本発明は、携帯機器に限らず、略直方体形状の外装蓋を有するもので、内蔵品を取りだす時にも適用できる。
【符号の説明】
【００７０】
１・・・せん断機、１０・・・油圧ポンプ、１１・・・昇降用ラム、１２・・・基台、
１３・・・シリンダー、１４・・・支柱、１５・・・復元バネ、
１６・・・スマートフォン等載置台、１７・・・せん断刃、１８・・・せん断刃固定台、
１９・・・固定ネジ、２１・・・油圧ジャッキレバーハンドル、
２２・・・油圧調整バルブ、２５・・・横方向ストッパ、２６・・・前方ストッパ、
２７・・・携帯機器斜め置き用上部ストッパ、３１・・・携帯機器（スマートフォン等）、
３２・・・後方ストッパ、３３・・・連結部材、３４・・・Ｅ底面押さえ部支持部材、
３５・・・連結部、３６・・・固定部材、３７・・・Ｅ底面押さえ部材、
３８・・・せん断刃挿入溝、１０１・・・裏面（Ｆ面）支持部材、
１０２・・・固定部材
【図１】
2019018342.tif 000003
【図２】
2019018342.tif 000004
【図３】
2019018342.tif 000005
【図４】
2019018342.tif 000006
【図５】
2019018342.tif 000007
【図６】
2019018342.tif 000008
【図７】
2019018342.tif 000009
【図８】
2019018342.tif 000010
【図９】
2019018342.tif 000011
【図１０】
2019018342.tif 000012
【図１１】
2019018342.tif 000013
【図１２】
2019018342.tif 000014
【図１３】
2019018342.tif 000015